(57)【要約】【課題】内部締結力を高めると共に構造を単純化し、且つ金型の寿命を延長させることができる。【解決手段】第１ケースと第２ケースとの間に少なくとも一つ以上のバッテリーセルが収容されるバッテリーのためのパックケースにおいて、周縁に孔部を有する第１締結部材を含む第１ケースと、ガイド部材および係止部を有する第２締結部材を含む第２ケースと、を備え、前記第１締結部材は前記第２締結部材の前記ガイド部材に沿って移動し、前記第１締結部材の前記孔部が前記第２締結部材の前記係止部と結合するように形成されたパックケースを提供する。【選択図】図５ｄ
2014170740.tif 000002
【特許請求の範囲】
【請求項１】
周縁に孔部を有する第１締結部材を含む第１ケースと、
ガイド部材および係止部を有する第２締結部材を含む第２ケースと、を備え、
前記第１締結部材は前記第２締結部材の前記ガイド部材に沿って移動し、前記第１締結部材の前記孔部が前記第２締結部材の前記係止部と結合するように形成され、
前記第１ケースと前記第２ケースとの間に少なくとも一つ以上のバッテリーセルが収容されることを特徴とするバッテリーのためのパックケース。
【請求項２】
前記第１締結部材の下部領域は、閉鎖されていることを特徴とする請求項１に記載のパックケース。
【請求項３】
前記第１締結部材の前記孔部は、一部が解放されたＵ字形状を有することを特徴とする請求項１に記載のパックケース。
【請求項４】
前記ガイド部材は、全長にわたって延在するガイド溝を含み、Ｌ字形状を有することを特徴とする請求項１に記載のパックケース。
【請求項５】
前記第１締結部材は、前記ガイド溝に挿入され、前記ガイド溝に沿ってガイドされ、
前記第１締結部材の前記孔部が前記第２締結部材の前記係止部と結合されることを特徴とする請求項４に記載のパックケース。
【請求項６】
前記第１締結部材は、前記第２締結部材の前記係止部および前記ガイド部材の前記ガイド溝によって固定されることを特徴とする請求項４に記載のパックケース。
【請求項７】
前記ガイド部材は、第１ガイド部材と第２ガイド部材とを含み、前記係止部は、前記第１ガイド部材と前記第２ガイド部材の間に位置することを特徴とする請求項１に記載のパックケース。
【請求項８】
前記第１締結部材の下部領域は、前記第１ガイド部材および前記第２ガイド部材の間に延在することを特徴とする請求項７に記載のパックケース。
【請求項９】
前記第２締結部材の前記係止部の下部領域は、前記係止部が位置する位置で前記第２ケースの一面に対して垂直であることを特徴とする請求項１に記載のパックケース。
【請求項１０】
前記第２締結部材の前記係止部の上面は傾斜面であることを特徴とする請求項１に記載のパックケース。
【請求項１１】
前記第１締結部材が前記第２締結部材に結合するとき、前記第１締結部材に対して力を加えるように、前記第２締結部材の傾斜面が形成されることを特徴とする請求項１０に記載のパックケース。
【請求項１２】
前記力は、前記第１締結部材の中央に適用され、前記力によって前記第１締結部材が弾力的に変形されることを特徴とする請求項１１に記載のパックケース。
【請求項１３】
前記第１締結部材は、前記孔部を複数含むことを特徴とする請求項１に記載のパックケース。
【請求項１４】
複数の前記孔部は、前記第１締結部材の中央で分離部によって分離されることを特徴とする請求項１３に記載のパックケース。
【請求項１５】
複数の前記孔部は、前記第１締結部材の長さ方向に沿って直線状に配列されることを特徴とする請求項１３に記載のパックケース。
【請求項１６】
前記第２締結部材は、前記係止部を複数含むことを特徴とする請求項１に記載のパックケース。
【請求項１７】
複数の前記係止部は、前記第２締結部材の長さ方向に沿って直線状に配列されることを特徴とする請求項１６に記載のパックケース。
【請求項１８】
前記第１締結部材は、前記孔部を複数含み、前記第２締結部材は、前記係止部を複数含み、複数の前記孔部は、複数の前記係止部にそれぞれ結合することを特徴とする請求項１に記載のパックケース。
【請求項１９】
傾斜面および係止部を有する第１締結部材を含む第１ケースと、
ガイド部材、傾斜面および係止部を有する第２締結部材を含む第２ケースと、を備え、
前記第１締結部材は、前記第２締結部材の前記ガイド部材に沿って移動し、前記第１締結部材の前記係止部が前記第２締結部材の前記係止部と結合するように形成され、
前記第１ケースと前記第２ケースとの間には少なくとも一つのバッテリーセルが収容されることを特徴とするバッテリーのためのパックケース。
【請求項２０】
前記第１締結部材および前記第２締結部材が結合するとき、前記第１締結部材を弾力的に変形させるために、前記第１締結部材の傾斜面に力を加えるように前記第２締結部材の傾斜面が、形成されることを特徴とする請求項１９に記載のパックケース。
【発明の詳細な説明】
【技術分野】
【０００１】
本発明は、内部締結力を高めると共に構造を単純化し、且つ金型の寿命を延長させることができる電池用パックケースに関する。
【背景技術】
【０００２】
２次電池（ｒｅｃｈａｒｇｅａｂｌｅ  ｂａｔｔｅｒｙ）は、充電が不可能な一次電池とは違って充電および放電が可能な電池であって、一つのバッテリーセルがパック形態に包装された低容量電池の場合、携帯電話およびカムコーダーのような携帯可能な小型電子機器に使われ、バッテリーセルが数十個連結された大容量電池の場合、電気スクーター、ハイブリッド自動車および電気自動車などのモータ駆動用電源として幅広く使用されている。
【０００３】
２次電池は、様々な形状に製造されているが、代表的形状としては、円筒形および角形が挙げられる。２次電池は、正極板と負極板との間に絶縁体であるセパレータを介在して形成された電極組立体と、電解液とを共にケースに収容し、ケースにキャッププレートを設置して構成される。もちろん、上記電極組立体には正極端子および負極端子が連結され、正極端子および負極端子は上記キャッププレートを通して外部に露出または突出する。
【０００４】
このような２次電池は、使用分野によりパックケース内に挿入された形態に複数個が備えられて直列あるいは並列に連結される。したがって、パックケースが最終的な電池の使用形態であるため、パックケースの安定した構造が必要である。
【発明の概要】
【発明が解決しようとする課題】
【０００５】
本発明は、内部締結力を高めると共に構造を単純化し、且つ金型の寿命を延長させることができる電池用パックケースを提供する。
【課題を解決するための手段】
【０００６】
本発明のバッテリーのためのパックケースは、周縁に孔部を有する第１締結部材を含む第１ケースと、ガイド部材および係止部を有する第２締結部材を含む第２ケースと、を備え、前記第１締結部材は前記第２締結部材の前記ガイド部材に沿って移動し、前記第１締結部材の前記孔部が前記第２締結部材の前記係止部と結合するように形成され、前記第１ケースと前記第２ケースとの間に少なくとも一つ以上のバッテリーセルが収容されることができる。
【０００７】
前記第１締結部材の下部領域は、閉鎖されていることができる。
【０００８】
前記第１締結部材の前記孔部は、一部が解放されたＵ字形状を有することができる。
【０００９】
前記ガイド部材は、全長にわたって延在するガイド溝を含み、Ｌ字形状を有することができる。
【００１０】
前記第１締結部材は、前記ガイド溝に挿入され、前記ガイド溝に沿ってガイドされ、前記第１締結部材の前記孔部が前記第２締結部材の前記係止部と結合されることができる。
【００１１】
前記第１締結部材は、前記第２締結部材の前記係止部および前記ガイド部材の前記ガイド溝によって固定されることができる。
【００１２】
前記ガイド部材は、第１ガイド部材と第２ガイド部材とを含み、前記係止部は、前記第１ガイド部材と前記第２ガイド部材の間に位置することができる。
【００１３】
前記第１締結部材の下部領域は、前記第１ガイド部材および前記第２ガイド部材の間に延在することができる。
【００１４】
前記第２締結部材の前記係止部の下部領域は、前記係止部が位置する位置で前記第２ケースの一面に対して垂直であり得る。
【００１５】
前記第２締結部材の前記係止部の上面は傾斜面であることができる。
【００１６】
前記第１締結部材が前記第２締結部材に結合するとき、前記第１締結部材に対して力を加えるように、前記第２締結部材の傾斜面が形成されることができる。
【００１７】
前記力は、前記第１締結部材の中央に適用され、前記力によって前記第１締結部材が弾力的に変形されることができる。
【００１８】
前記第１締結部材は、前記孔部を複数含むことができる。
【００１９】
複数の前記孔部は、前記第１締結部材の中央で分離部によって分離されることができる。
【００２０】
複数の前記孔部は、前記第１締結部材の長さ方向に沿って直線状に配列されることができる。
【００２１】
前記第２締結部材は、前記係止部を複数含むことができる。
【００２２】
複数の前記係止部は、前記第２締結部材の長さ方向に沿って直線状に配列されることができる。
【００２３】
前記第１締結部材は、前記孔部を複数含み、前記第２締結部材は、前記係止部を複数含み、複数の前記孔部は、複数の前記係止部にそれぞれ結合することができる。
【００２４】
本発明のバッテリーのためのパックケースは、傾斜面および係止部を有する第１締結部材を含む第１ケースと、ガイド部材、傾斜面および係止部を有する第２締結部材を含む第２ケースと、を備え、前記第１締結部材は、前記第２締結部材の前記ガイド部材に沿って移動し、前記第１締結部材の前記係止部が前記第２締結部材の前記係止部と結合するように形成され、前記第１ケースと前記第２ケースとの間には少なくとも一つのバッテリーセルが収容されることができる。
【００２５】
前記第１締結部材および前記第２締結部材が結合するとき、前記第１締結部材を弾力的に変形させるために、前記第１締結部材の傾斜面に力を加えるように前記第２締結部材の傾斜面が、形成されることができる。
【発明の効果】
【００２６】
本発明によるパックケースは、第１ケースの周縁に孔部を有する第１締結部材を形成し、第１締結部材と結合する第２ケースの周縁にガイド部材および係止部を有する第２締結部材を形成することによって、第１締結部材が第２締結部材のガイド部材に沿って移動し、第１締結部材の孔部が第２締結部材の係止部と結合するようにして、締結力を高めて安定した締結を行うことができる。
【００２７】
更に、既存に比べて締結に必要なフックなどの締結部材の数を減らすことができるので、パックケースの構造を単純化し、パックケースの製造のための金型を単純化して寿命を延長させることができる。
【図面の簡単な説明】
【００２８】
【図１】本発明の一実施形態によるパックケースの斜視図である。
【図２】本発明の一実施形態によるパックケースの分解斜視図である。
【図３】本発明の一実施形態によるパックケースのうち、第１ケースの透過斜視図である。
【図４】本発明の一実施形態によるパックケースのうち、第２ケースの斜視図である。
【図５ａ】本発明の一実施形態によるパックケースに具備された第１締結部材を示した拡大図である。
【図５ｂ】本発明の一実施形態によるパックケースに具備された第２締結部材を示した拡大図である。
【図５ｃ】本発明の一実施形態によるパックケースで第１締結部材および第２締結部材が締結される過程を示した拡大図である。
【図５ｄ】本発明の一実施形態によるパックケースで第１締結部材および第２締結部材が締結される過程を示した拡大図である。
【図６ａ】本発明の他の実施形態によるパックケースに具備された第２締結部材を示した拡大図である。
【図６ｂ】本発明の他の実施形態によるパックケースで第１締結部材および第２締結部材が締結された状態を示した拡大図である。
【図７ａ】本発明の更なる他の実施形態によるパックケースに具備された第１締結部材を示した拡大図である。
【図７ｂ】本発明の更なる他の実施形態によるパックケースで第１締結部材および第２締結部材が締結された状態を示した拡大図である。
【図８ａ】本発明の更なる他の実施形態によるパックケースに具備された第１締結部材を示した拡大図である。
【図８ｂ】本発明の更なる他の実施形態によるパックケースに具備された第２締結部材を示した拡大図である。
【図８ｃ】本発明の更なる他の実施形態によるパックケースで第１締結部材および第２締結部材が締結された状態を示した拡大図である。
【図９ａ】本発明の更なる他の実施形態によるパックケースに具備された第１締結部材を示した拡大図である。
【図９ｂ】本発明の更なる他の実施形態によるパックケースに具備された第２締結部材を示した拡大図である。
【図９ｃ】本発明の更なる他の実施形態によるパックケースで第１締結部材および第２締結部材が締結された状態を示した拡大図である。
【発明を実施するための形態】
【００２９】
以下、本発明の属する技術分野において通常の知識を有する者が容易に実施できる、本発明の好ましい実施形態を図面を参照して詳細に説明する。
【００３０】
図１は本発明の一実施形態によるパックケースの斜視図である。図２は本発明の一実施形態によるパックケースの分解斜視図である。図３は本発明の一実施形態によるパックケースのうち、第１ケースの透過斜視図である。図４は本発明の一実施形態によるパックケースのうち、第２ケースの斜視図である。図５ａは本発明の一実施形態によるパックケースに具備された第１締結部材を示した拡大図である。図５ｂは本発明の一実施形態によるパックケースに具備された第２締結部材を示した拡大図である。図５ｃおよび５ｄは本発明の一実施形態によるパックケースで第１締結部材および第２締結部材が締結される過程を示した拡大図である。
【００３１】
図１乃至図２を参照すれば、本発明の一実施形態によるパックケース１００は第１ケース１１０および第２ケース１２０を含む。
【００３２】
上記第１ケース１１０は上記第２ケース１２０の上側で結合することができる。上記第１ケース１１０は電気的絶縁体であるプラスチックからなる。
【００３３】
上記第１ケース１１０は内部に隔壁１１１を備えてパックケース１００内に収納された少なくとも一つのバッテリーセルを上部から固定させることができる。また、上記第１ケース１１０はパックケース１００が外部機器に脱着される方向に垂直に形成された内側面に外部機器と連結されるための連結部１１２を有する。上記連結部１１２を通じて外部機器の端子が結合して、上記パックケース１００の内部に位置したバッテリーセルを充電したり、上記バッテリーセルの電力が供給されることになる。例えば、本発明の一実施形態によれば、スピードボートがパックケース１００の実施形態を含むバッテリーによって電力が供給されるモータを含むことができる。
【００３４】
図５ａを参照すれば、上記第１ケース１１０は周縁領域のうちの少なくとも一部に形成された第１締結部材１１３を含む。上記第１締結部材１１３は上記第１ケース１１０の周縁から下部に向かって突出した環形状を有する。上記第１締結部材１１３は内部に環状ホール（孔部）１１３ａが形成され、上記環状ホール１１３ａの下部領域１１３ｂは閉鎖されて、ほぼ
【数１】
2014170740.tif 000003
字形状を有する。したがって、上記環状ホール１１３ａに結合した上記第２ケース１２０は上記下部領域１１３ｂによって安定的に固定される。
【００３５】
また、上記第１ケース１１０は周縁領域のうちの少なくとも一部に形成された第２締結部材１１４を含む。上記第２締結部材１１４は上記第１締結部材１１３が形成された領域を除いた領域に形成される。上記第２締結部材１１４は一対備えられ、ほぼ
【数２】
2014170740.tif 000004
字形状に形成されたガイド部材１１４ａ、上記ガイド部材１１４ａの間に形成された係止部１１４ｂの構成を含む。上記第２締結部材１１４は後述のように、上記第２ケース１２０に形成された環形状の第１締結部材１２５と結合する。この場合、上記ガイド部材１１４ａは上記第２ケース１２０の第１締結部材１２５の結合方向をガイドし、上記係止部１１４ｂは上記第２ケース１２０の第１締結部材１２５と締結されて固定される。
【００３６】
また、上記第２締結部材１１４は上記第２ケース１２０の第２締結部材１２６と同一の形状を有するため、具体的な形状については後述する上記第２ケース１２０の第２締結部材１２６で説明する。
【００３７】
上記第２ケース１２０は上記第１ケース１１０と結合する。上記第２ケース１２０は上記第１ケース１１０の下側で結合することができる。また、上記第２ケース１２０も上記第１ケース１１０と同様に電気的絶縁体であるプラスチックからなることができる。
【００３８】
上記第２ケース１２０は内部に受容空間１２１を備えて、少なくとも一つのバッテリーセルを収容できる。
【００３９】
また、上記第２ケース１２０はパックケース１００が外部機器に脱着される方向に垂直な内側面に連結部１２２を有する。
【００４０】
図示していないが、上記受容空間１２１の両端には連結リードが形成されて、バッテリーセルの充放電経路を形成し、上記第２ケース１２０の連結部１２２まで延長されることができる。上記連結部１２２は上記第１ケース１１０の連結部１１２と整合され、整合された連結部１１２、１２２に外部機器が連結されて、上記バッテリーセルが充電されたり、上記バッテリーセルから電力が供給されることもできる。
【００４１】
また、上記第２ケース１２０はパックケース１００が外部機器に脱着される方向に並んだ短辺部に沿って周縁に結合溝１２３を有する。上記結合溝１２３には外部機器の突起が締結されて上記パックケース１００が外部機器に結合することをガイドすることになる。
【００４２】
また、上記第２ケース１２０はパックケース１００が外部機器に脱着される方向に垂直な内側面に脱着用突起１２４を含む。上記脱着用突起１２４は上記外部機器に結合して、パックケース１００が外部機器に結合するときに結合状態を維持したり、外部機器から結合を解除してパックケース１００が脱着できるようにする。
【００４３】
上記第２ケース１２０は周縁の一領域に第１締結部材１２５を含む。上記第１締結部材１２５は上記第１ケース１１０の第１締結部材１１３と同一の形状を有する。上記第１締結部材１２５は内部に形成された環状ホール１２５ａを通じてほぼ
【数３】
2014170740.tif 000005
字形状を有し、上記環状ホール１２５ａが上記第１ケース１１０の第２締結部材１１４に形成された係止部１１４ｂに締結される。
【００４４】
図５ｂを参照すれば、上記第２ケース１２０は第２締結部材１２６を含む。上記第２締結部材１２６は一対備えられ、ほぼ
【数４】
2014170740.tif 000006
字形状に形成されたガイド部材１２６ａ、上記ガイド部材１２６ａの間に形成された係止部１２６ｂの構成を含む。
【００４５】
上記ガイド部材１２６ａは内部にガイド溝１２６ｃを備える。上記ガイド溝１２６ｃは垂直方向に沿って上記ガイド部材１２６ａを貫通して形成される。上記第１ケース１１０の第１締結部材１１３は上記ガイド部材１２６ａのガイド溝１２６ｃに沿って挿入、ガイドされ、これによって下部に移動して結合することになる。
【００４６】
上記係止部１２６ｂは上記ガイド部材１２６ａの間に突出形成される。上記係止部１２６ｂの下側は第２ケース１２０に垂直に形成される反面、上記係止部１２６ｂの上側には上記第２ケース１２０に対して傾斜面１２６ｄが形成される。
【００４７】
図５ｃを参照すれば、上記傾斜面１２６ｄは上記第１ケース１１０の第１締結部材１１３が下降するとき、上記第１締結部材１１３の下部領域１１３ｂの曲げを誘導し、上記係止部１２６ｂの下側に容易に固定できることになる。
【００４８】
また、図５ｄを参照すれば、結合が完了した状態で、上記第１ケース１１０の第１締結部材１１３の下部領域１１３ｂは上記第２ケース１２０の第２締結部材１２６に形成された係止部１２６ｂおよびガイド部材１２６ａによってすべての方向で位置が固定されるため、脱着されることが防止される。したがって、本発明の一実施形態によるパックケース１００は締結力が向上して、既存に比べて締結のためのフックなど締結部材の数を減らすことができる。また、これによってパックケース１００の構造が単純になり、ひいてはこれを製造するための金型の構造が単純になるため、金型の寿命を延長させることができる。
【００４９】
また、説明していないが、上記第１ケース１１０の第１締結部材１１３は上記第２ケース１２０の第１締結部材１２５と同様で、上記第１ケース１１０の第２締結部材１１４は上記第２ケース１２０の第２締結部材１２６と同じ構成からなるため、上記と同様に、上記第２ケース１２０の第１締結部材１２５が上記第１ケース１１０の第２締結部材１１４の内部に挿入結合する。
【００５０】
以下、本発明の他の実施形態によるパックケースの構成について説明する。
【００５１】
図６ａは本発明の他の実施形態によるパックケースに具備された第２締結部材を示した拡大図である。図６ｂは本発明の他の実施形態によるパックケースで第１締結部材および第２締結部材が締結された状態を示した拡大図である。前述した実施形態と同一の構成および動作を有する部分については同一符号を付け、前述した実施形態との差異点を中心に説明する。
【００５２】
図６ａを参照すれば、本発明の他の実施形態によるパックケースは第２ケースの第２締結部材２２６が一つのガイド部材２２６ａおよび係止部１２６ｂを含んで構成される。上記ガイド部材２２６ａは内部にガイドホール２２６ｂを含んで上記第１ケース１１０の第１締結部材１１３をガイドする。
【００５３】
図６ｂを参照すれば、締結が完了した以後、上記ガイド部材２２６ａおよび係止部１２６ｂによって第１ケース１１０の第１締結部材１１３が固定された状態が維持される。
【００５４】
以下、本発明の更なる他の実施形態によるパックケースの構成について説明する。
【００５５】
図７ａは本発明の更なる他の実施形態によるパックケースに具備された第１締結部材を示した拡大図である。図７ｂは本発明の更なる他の実施形態によるパックケースで第１締結部材および第２締結部材が締結された状態を示した拡大図である。
【００５６】
図７ａを参照すれば、本発明の更なる他の実施形態によるパックケースにおいて、第１ケースの第１締結部材３１３は一方が開放された形態の環状ホール３１３ａを有するように備えられ、ほぼ
【数５】
2014170740.tif 000007
字形状に形成される。
【００５７】
図７ｂを参照すれば、本実施形態でも締結が完了すると、上記第１ケースの第１締結部材３１３は第２ケースの第２締結部材を構成するガイド部材１２６ａおよび係止部１２６ｂによって固定して、結合した状態を維持できる。
【００５８】
以下、本発明の更なる他の実施形態によるパックケースの構成について説明する。
【００５９】
図８ａは本発明の更なる他の実施形態によるパックケースに具備された第１締結部材を示した拡大図である。図８ｂは本発明の更なる他の実施形態によるパックケースに具備された第２締結部材を示した拡大図である。図８ｃは本発明の更なる他の実施形態によるパックケースで第１締結部材および第２締結部材が締結された状態を示した拡大図である。
【００６０】
図８ａを参照すれば、本発明の更なる他の実施形態によるパックケースは、第１ケースの第１締結部材４１３が内部に２つの環状ホール４１３ａ、４１３ｂを有するように形成され、その中央に分離部４１３ｃが形成される。上記環状ホール４１３ａ、４１３ｂは垂直方向で一直線をなすように配列される。
【００６１】
また、図８ｂを参照すれば、第２ケースの第２締結部材４２６は上記第１締結部材４１３に対応するように、２つの係止部１２６ｂ、４２６ｂを含む。上記係止部１２６ｂ、４２６ｂは垂直方向で一直線をなすように配列される。例えば、上記係止部１２６ｂ、４２６ｂは上記第２締結部材４２６の長さ方向に沿って一直線に配列される。上記第２締結部材４２６は傾斜面１２６ｄ、４２６ｄをさらに含む。
【００６２】
したがって、図８ｃに示されるように、上記第２締結部材４２６のガイド部材１２６ａに沿って締結が完了すると、上記第１ケースの第１締結部材４１３を構成する環状ホール４１３ａ、４１３ｂは上記係止部１２６ｂ、４２６ｂにそれぞれ締結される。よって、共に結合するとき、上記第１ケースの第１締結部材４１３は上記第２ケースの第２締結部材４２６によって位置が固定されることになる。
【００６３】
以下、本発明の更なる他の実施形態によるパックケースの構成について説明する。
【００６４】
図９ａは本発明の更なる他の実施形態によるパックケースに具備された第１締結部材を示した拡大図である。図９ｂは本発明の更なる他の実施形態によるパックケースに具備された第２締結部材を示した拡大図である。図９ｃは本発明の更なる他の実施形態によるパックケースで第１締結部材および第２締結部材が締結された状態を示した拡大図である。
【００６５】
図９ａを参照すれば、本発明の更なる他の実施形態によるパックケースにおいて、第１ケースの第１締結部材５１３は下部が傾斜面５１３ａ、上部が係止部５１３ｂの形態が含まれる。
【００６６】
また、図９ｂを参照すれば、第２ケースの第２締結部材５２６は一対備えられたガイド部材１２６ａの間に、上記第１締結部材５１３に対応するように下部は係止部５２６ａ、上部は傾斜面５２６ｂが含まれる。
【００６７】
図９ｃを参照すれば、上記第１ケースの第１締結部材５１３を構成する傾斜面５１３ａは上記第２ケースの第２締結部材５２６を構成する傾斜面５２６ｂに沿って変形しつつ下部に移動することになる。また、移動が完了すると、上記第１締結部材５１３を構成する係止部５１３ｂが上記第２締結部材５２６の係止部５２６ａに結合して、最終的な位置に固定される。また、結合状態で上記係止部５１３ｂ、５２６ａが互いに嵌合して固定され、側部はガイド部材１２６ａによって固定されるため、上記第１ケースの第１締結部材５１３は上記第２ケースの第２締結部材５２６と安定的に結合できる。
【００６８】
以上の説明は、本発明によるパックケースを実施するための一つの実施形態に過ぎないものであって、本発明は上記実施形態に限定されるものではなく、以下の特許請求の範囲において請求するように、本発明の要旨を逸脱することなく当該発明の属する分野で通常の知識を有する者であれば、誰でも多様な変更実施が可能な範囲にまで本発明の技術的分野が及ぶとみなされる。
【符号の説明】
【００６９】
１００    パックケース
１１０    第１ケース
１１３    第１締結部材
１１３ａ    環状ホール
１１４    第２締結部材
１１４ａ    ガイド部材
１１４ｂ    係止部
１２０    第２ケース
１２５    第１締結部材
１２５ａ    環状ホール
１２６    第２締結部材
１２６ａ    ガイド部材
１２６ｂ    係止部
【図１】
2014170740.tif 000008
【図２】
2014170740.tif 000009
【図３】
2014170740.tif 000010
【図４】
2014170740.tif 000011
【図５ａ】
2014170740.tif 000012
【図５ｂ】
2014170740.tif 000013
【図５ｃ】
2014170740.tif 000014
【図５ｄ】
2014170740.tif 000015
【図６ａ】
2014170740.tif 000016
【図６ｂ】
2014170740.tif 000017
【図７ａ】
2014170740.tif 000018
【図７ｂ】
2014170740.tif 000019
【図８ａ】
2014170740.tif 000020
【図８ｂ】
2014170740.tif 000021
【図８ｃ】
2014170740.tif 000022
【図９ａ】
2014170740.tif 000023
【図９ｂ】
2014170740.tif 000024
【図９ｃ】
2014170740.tif 000025